(57)【要約】  本開示は、複合信号の中で複数の成分信号の第２の信号から第１の信号を分離するためのシステム及び方法を提供する。方法は、第１のクロックレートで複合信号の第１の部分を受け取ること、及び複合信号の中で第１の信号及び第２の信号を検出し、第１の信号及び第２の信号の変調推定値、並びに少なくとも１つのシンボルレートを決定するために、第１の部分を累乗することを含む場合がある。方法は、シンボル軌跡、変調タイプ、及び第１の信号と第２の信号の間のオフセット情報を決定するためにシンボルレートのｘ倍で変調推定値に基づいて第１の部分を再サンプリングすることを含む場合がある。方法は、第１のクロックレートの倍数である第２のクロックレートで、第１の期間の中に第１の信号及び第２の信号を表す合成された第１の信号及び合成された第２の信号を決定することを含む場合がある。【選択図】図１
2020527006.tif 000002
【特許請求の範囲】
【請求項１】
複合信号の中の複数の成分信号の第２の信号から第１の信号を分離するための方法であって、
第１のクロックレートで、第１の期間に及ぶ前記複合信号の第１の部分を受信することと、
前記複合信号の中で前記第１の信号及び前記第２の信号を検出し、
前記第１の信号の第１の変調推定値と、
前記第２の信号の第２の変調推定値と、
少なくとも１つのシンボルレートと
を決定するために前記第１の部分を累乗することと、
少なくとも１つのシンボル軌跡、少なくとも１つの変調タイプ、及び前記第１の信号と前記第２の信号との間のオフセット情報を決定するために、前記少なくとも１つのシンボルレートのｘ倍で前記第１の変調推定値及び前記第２の変調推定値に基づいて前記第１の部分を再サンプリングすることであって、ｘがゼロより大きい整数である、再サンプリングすることと、
第２のクロックレートで前記第１の期間内の前記第１の信号及び前記第２の信号を表す第１の合成信号及び第２の合成信号を決定することであって、前記第２のクロックレートが前記第１のクロックレートの倍数である、決定することと
を含む、方法。
【請求項２】
前記決定することが、
前記再サンプリングに基づいて第１の復調推定値を生成することと、
前記第１の合成信号を形成するために前記少なくとも１つの変調タイプに基づいて前記第１の復調推定値を再変調することと、
前記第２の信号の推定値を含む第１の残留信号を形成するために、前記第１の部分から前記第１の合成信号をキャンセルすることと
を含む、請求項１に記載の方法。
【請求項３】
第２の復調推定値を形成するために前記第１の残留信号を復調することと、
前記第２の合成信号を形成するために前記第２の復調推定値を再変調することと、
第１の改良された第１の合成信号を形成するために前記第１の部分から前記第２の合成信号をキャンセルすることと
をさらに含む、請求項２に記載の方法。
【請求項４】
改良された第２の合成信号及び第２の改良された第１の合成信号を形成するために前記復調すること、及び前記再変調することを前記第２のクロックレートで繰り返すことをさらに含む、請求項３に記載の方法。
【請求項５】
前記第２の合成信号を形成するために前記第１の残留信号に対してエコー調整を実行することをさらに含む、請求項３に記載の方法。
【請求項６】
前記第１のクロックレートで、前記第１の期間に続く第２の期間に及ぶ前記複合信号の第２の部分を受信することと、
前記第２の部分に対して、前記累乗することと、前記再サンプリングすることと、前記決定することとを繰り返すことと
をさらに含む、請求項１に記載の方法。
【請求項７】
前記決定することが、オフチップに位置する再生器モデムにより部分的に実行される、請求項１に記載の方法。
【請求項８】
複合信号の中の複数の成分信号の第２の信号から第１の信号を分離するためのデバイスであって、
第１のクロックレートで、第１の期間に及ぶ前記複合信号の第１の部分を受信するよう作動する受信機と、
前記複合信号の中の前記第１の信号及び前記第２の信号を検出し、
前記第１の信号の第１の変調推定値と、
前記第２の信号の第２の変調推定値と
少なくとも１つのシンボルレートと
を決定するために、前記第１の部分を累乗するよう作動する前記受信機に結合された１つ以上のプロセッサと、
オフチップに配置され、前記１つ以上のプロセッサと連動して、
少なくとも１つのシンボル軌跡、少なくとも１つの変調タイプ、及び前記第１の信号と前記第２の信号の間のオフセット情報を決定するために前記少なくとも１つのシンボルレートのｘ倍で前記第１の変調推定値及び前記第２の変調推定値に基づいて前記第１の部分を再サンプリングし、ｘがゼロよりも大きい整数であり、
第２のクロックレートで前記第１の期間内の前記第１の信号及び前記第２の信号を表す第１の合成信号及び第２の合成信号を決定し、前記第２のクロックレートが前記第１のクロックレートの倍数である
ように構成された再生器モデムと
を備える、デバイス。
【請求項９】
前記再生器モデムが
前記シンボル軌跡に少なくとも部分的に基づいて第１の復調推定値（４２０）を生成し、
前記第１の合成信号（４２２）を形成するために前記少なくとも１つの変調タイプに基づいて前記第１の復調推定値を再変調し（４１４）、
前記第２のクロックレートで、前記第２の信号（４１５）の推定値を含む第１の残留信号を形成するために、前記第１の部分から前記第１の合成信号をキャンセルする（４１６）
ようさらに作動する、請求項８に記載のデバイス。
【請求項１０】
前記再生器モデルが、
第２の復調推定値（４４０）を形成するために前記第１の残留信号を復調し（４３２）、
前記第２の合成信号（４４２）を形成するために、前記第２の復調推定値を再変調する（４３４）
ようにさらに構成され、
前記１つ以上のプロセッサが、前記第１の合成信号（４１５？）を形成するために、前記第１の部分から前記改良された推定された第２の信号をキャンセルする（４３６）ようにさらに構成される
請求項９に記載のデバイス。
【請求項１１】
前記１つ以上のプロセッサは、改良された第２の合成信号及び第２の改良された第１の合成信号を形成するために、前記第２のクロックレートで前記復調すること及び前記再変調することを繰り返すようにさらに構成される、請求項１０に記載のデバイス。
【請求項１２】
前記第２の合成信号を形成するために前記第１の残留信号に対してエコー調整を実行することをさらに含む、請求項１０に記載の方法。
【請求項１３】
前記第１のクロックレートで、前記第１の期間に続く第２の期間に及ぶ前記複合信号の第２の部分を受信することと、
前記第２の部分に対して前記累乗することと、前記再サンプリングすることと、前記決定することとを繰り返すことと
をさらに含む、請求項８に記載の方法。
【請求項１４】
第１の信号を、複合信号の中の複数の成分信号の第２の信号から分離するための装置であって、
第１のクロックレートで、第１の期間に及ぶ前記複合信号の第１の部分を受信するための手段と、
前記複合信号の中の前記第１の信号及び前記第２の信号を検出し、
前記第１の信号の第１の変調推定値と、
前記第２の信号の第２の変調推定値と、
少なくとも１つのシンボルレートと
を決定するために前記第１の部分を累乗するための手段と、
少なくとも１つのシンボル軌跡、少なくとも１つの変調タイプ、及び前記第１の信号と前記第２の信号の間のオフセット情報を決定するために、前記少なくとも１つのシンボルレートのｘ倍で、前記第１の変調推定値及び前記第２の変調推定値に基づいて前記第１の部分を再サンプリングするための手段であって、ｘがゼロよりも大きい整数である、手段と、
第２のクロックレートで前記第１の期間内の前記第１の信号及び前記第２の信号を表す第１の合成信号及び第２の合成信号を決定するための手段であって、前記第２のクロックレートが前記第１のクロックレートの倍数である、手段と
を備える、装置。
【請求項１５】
前記決定することが、
前記再サンプリングすることに基づいて第１の復調推定値（４２０）を生成する（４１２）のための手段と、
前記第１の合成信号（４２２）を形成するために、前記少なくとも１つの変調タイプに基づいて前記第１の復調推定値を再変調する（４１４）ための手段と、
前記第２の信号（４１５）の推定値を含む第１の残留信号を形成するために、前記第１の部分から前記合成された第１の信号をキャンセルする（４１６）ための手段と
を含む、請求項１に記載の方法。
【請求項１６】
第２の復調推定値（４４０）を形成するために、前記第１の残留信号を復調する（４３２）ための手段と、
前記第２の合成信号（４４２）を形成するために、前記第２の復調推定値を再変調する（４３４）ための手段と、
第１の改良された第１の合成信号（４１５？）を形成するために、前記第１の部分から前記第２の合成信号をキャンセルする（４３６）ための手段と
をさらに含む、請求項２に記載の方法。
【請求項１７】
改良された第２の合成信号及び第２の改良された第１の合成信号を形成するために、前記復調すること及び前記再変調することを前記第２のクロックレートで繰り返すための手段をさらに含む、請求項３に記載の方法。
【請求項１８】
前記第２の合成信号を形成するために前記第１の残留信号に対してエコー調整を実行するための手段をさらに含む、請求項３に記載の方法。
【請求項１９】
前記第１のクロックレートで、前記第１の期間に続く第２の期間に及ぶ前記複合信号の第２の部分を受信するための手段と、
前記第２の部分に対して、前記累乗することと、前記再サンプリングすることと、前記決定することとを繰り返すための手段と
をさらに含む、請求項１に記載の方法。
【請求項２０】
決定するための前記手段が、オフチップに位置する再生器モデムにより部分的に実行される、請求項１に記載の方法。
【発明の詳細な説明】
【技術分野】
【０００１】
本発明は、無線通信における干渉低減及び信号分離に関する。具合的には、本開示は、衛星通信における無線周波数（ＲＦ）信号特徴付け、干渉低減、ブラインド信号分離、並びに信号変調及び復調のための方法及びシステムに関する。
【背景技術】
【０００２】
高速且つ確実なＲＦ通信に対する需要及び係るＲＦ通信に含まれる増え続ける情報量により、利用可能な周波数及びＲＦスペクトルを可能な限り効率的に使用することが重要である。しかしながら、利用可能な周波数は情報で混雑しており、多くの場合多大な干渉を受けている。
【０００３】
多様なＲＦ信号間の干渉は、時間、空間、又は周波数においてそれらを可能な限り分離することにより低減できる。一部の場合には、係る分離は、利用可能な帯域幅上で送信機と受信機との間で伝送できる情報量も低減する又はそれ以外の場合制限する場合もある。これは、所与の通信システムを介したデータ伝送の効率の減少につながる場合がある。
【発明の概要】
【０００４】
概して、本開示は、無線通信における干渉低減及び信号保護に関係するシステム及び方法を説明する。本開示のシステム、方法、及びデバイスは、それぞれいくつかの革新的な態様を有しており、そのうちの単一の態様だけが本明細書に開示される望ましい属性の原因となるものではない。
【０００５】
本開示の一態様は、複合信号の中の複数の成分信号の第２の信号から第１の信号を分離するための方法を提供する。方法は、第１のクロックレートで、第１の期間に及ぶ成分信号の第１の部分を受信することを含む場合がある。方法は、成分信号の中の第１の信号及び第２の信号を検出し、第１の信号の第１の変調推定値、第２の信号の第２の変調推定値、及び少なくとも１つのシンボルレートを決定するために第１の部分を累乗することを含む場合がある。方法は、第１の変調推定値及び第２の変調推定値に基づいて第１の部分を、少なくとも１シンボルレートのｘ倍で再サンプリングして、少なくとも１つのシンボル軌跡、少なくとも１つの変調タイプ、及び第１の信号と第２の信号との間のオフセット情報を決定することを含む場合があり、ｘはゼロより大きい整数である。方法は、第２のクロックレートで第１の期間内の第１の信号及び第２の信号を表す第１の合成信号及び第２の合成信号を決定することを含む場合があり、第２のクロックレートは、第１のクロックレートの倍数である。
【０００６】
本開示の別の態様は、複合信号の中で複数の成分信号の第２の信号から第１の信号を分離するためのデバイスを提供する。デバイスは、第１のクロックレートで、第１の期間に及ぶ複合信号の第１の部分を受信するよう作動する受信機を有する場合がある。デバイスは、受信機に結合された１つ以上のプロセッサを有する場合がある。１つ以上のプロセッサは、複合信号の中で第１の信号及び第２の信号を検出するために第１の部分を累乗できる。１つ以上のプロセッサは、第１の信号の第１の変調推定値、第２の信号の第２の変調推定値、及び少なくとも１つのシンボルレートを決定できる。デバイスは、オフチップに配置された再生器モデムを有する場合がある。デバイスは、１つ以上のプロセッサと連動して、少なくとも１シンボルレートのｘ倍で第１の変調推定値及び第２の変調推定値に基づいて第１の部分を再サンプリングして、少なくとも１つのシンボル軌跡、少なくとも１つの変調タイプ、及び第１の信号と第２の信号との間のオフセット情報を決定する場合があり、ｘはゼロより大きい整数である。デバイスは、１つ以上のプロセッサと連動して、第２のクロックレートで第１の期間内の第１の信号及び第２の信号を表す第１の合成信号及び第２の合成信号を決定する場合があり、第２のクロックレートは第１のクロックレートの倍数である。
【０００７】
本開示の別の態様は、複合信号の中で複数の成分信号の第２の信号から第１の信号を分離するための装置を提供する。装置は、第１のクロックレートで、第１の期間に及ぶ複合信号の第１の部分を受信するための手段を有する場合がある。装置は、複合信号の中で第１の信号及び第２の信号を検出し、第１の信号の第１の変調推定値、第２の信号の第２の変調推定値、及び少なくとも１つのシンボルレートを決定するために、第１の部分を累乗するための手段を有する場合がある。装置は、少なくとも１シンボルレートのｘ倍で第１の変調推定値及び第２の変調推定値に基づいて第１の部分を再サンプリングして、少なくとも１つのシンボル軌跡、少なくとも１つの変調タイプ、及び第１の信号と第２の信号との間のオフセット情報を決定するための手段を有する場合があり、ｘはゼロより大きい整数である。装置は、第２のクロックレートで第１の期間内の第１の信号及び第２の信号を表す第１の合成信号及び第２の合成信号を決定するための手段を有する場合があり、第２のクロックレートは、第１のクロックレートの倍数である。
【０００８】
本開示の他の特徴及び優位点は、例として本開示の態様を示す以下の説明から明らかになるはずである。
【０００９】
本開示の実施形態の詳細は、その構造と動作の両方に関して、部分的には、類似した参照数字が類似した部分を指す添付図面の検討により学ばれてよい。
【００１０】
本発明の実施形態の詳細は、その構造と動作の両方に関して、部分的には、類似した参照数字が類似した部分を指す添付図面の検討により学ばれてよい。
【図面の簡単な説明】
【００１１】
【図１】複数の地上局間での衛星通信の実施形態の図による描写を示す図である。
【図２】図１の通信システムの中で利用される場合がある通信デバイスの構成要素の機能ブロック図である。
【図３】信号復調器の機能ブロック図である。
【図４】図３の復調器を使用する干渉低減のための方法の実施形態を示す機能ブロック図である。
【図５】図３の復調器を使用する干渉低減のための方法の別の実施形態を示す機能ブロック図である。
【図６】図３の復調器、並びに図４及び図５の方法を使用する信号分離の方法の実施形態のフローチャートである。
【図７Ａ】図４、図５、及び図６の方法を使用し、分離されてよい周波数で重複する２つの信号のプロットである。
【図７Ｂ】図４、図５、及び図６の方法を使用し、分離されてよい周波数で重複する２つの信号の別のプロットである。
【図７Ｃ】図４、図５、及び図６の方法を使用し、分離されてよい周波数で重複する２つの信号の別のプロットである。
【図８】重複した信号の分離及び復調の方法のフローチャートである。
【発明を実施するための形態】
【００１２】
添付図面に関連して以下に説明する発明を実施するための形態は、多様な実施形態の説明として意図されるものであり、本開示が実践され得る実施形態のみを表すことを意図していない。発明を実施するための形態は、実施形態の完全な理解を提供する目的で具体的な詳細を含む。しかしながら、これらの具体的な詳細がなくとも、当業者にとって本開示は明らかであろう。いくつかの例では、周知の構造及び構成要素は、説明を簡略にするために簡略化された形で示される。
【００１３】
干渉を最小限に抑える又は低減するために周波数又は物理的距離で信号を分離することは、所与の通信チャネル又は通信媒体を介して伝送できる情報の量を減少させる場合がある。干渉信号が未知のソース又は悪意のあるソースから受信される場合、干渉信号についての情報がほとんど又はまったく利用できない場合があるので、これらの方法で信号を分離することが可能ではない場合がある。
【００１４】
さらに、干渉信号が未知のソース又は悪意のあるソースからである場合、信号についての情報がほとんど又は全く既知ではないとき、これらの方法で信号を分離することは、可能ではない場合がある。したがって、複数の信号又は周波数で重複する伝送信号上での帯域幅の再利用は、利用可能な周波数スペクトルの効率的な使用を提供し得る。
【００１５】
本明細書に開示される一部の実施形態では、特定の復調技術は、衛星通信信号及び人工衛星指揮統制（Ｃ２）リンク、無人航空機（ＵＡＶ）視線（ＬＯＳ）及び衛星データリンク、船舶用マイクロ波及び衛星通信システム、マイクロ波通信リンク、ＧＰＳ受信機、セルラー電話通信リンク、ケーブル信号、及び偶発的な干渉若しくは故意の干渉の影響を受けやすい他のポイントツーポイント又はポイントツーマルチポイント無線周波数（ＲＦ）システムを含むが、これに限定されるものではない複数の異なる通信システムに応用性を有する場合がある。また、本明細書に開示される方法及びシステムは、衛星トランスポンダー又は他の固定ＲＦ帯域幅リンクを介した、単一の搬送波伝送よりも大幅に高いデータレートのための容量の増大を提供するためにブラインド二重搬送波信号処理を可能にするために使用することもできる。
【００１６】
図１は、複数の地上局間での衛星通信の実施形態の図による描写を示す図である。通信システム（「システム」）１００は、衛星１１０を介して互いに通信する複数の地上局１０２、１０４、１０６を示す。一部の実施形態では、通信システム１００は、３つを超える地上局１０２、１０４、１０６、及び複数の衛星１１０を含む場合がある。
【００１７】
いくつかのシステムは、干渉低減のためのエコーキャンセルのために発信信号の局所的なコピーに依存する場合がある。一部のシステムでは、ポイントツーポイント又はポイントツーマルチポイントの衛星通信に対するバランスがとれた手法は、通信リンク（例えば、送信機−受信機対）の両端で特定の信号処理を必要とする場合がある。他のシステムでは、別のバランスがとれていない手法が、片側だけで信号処理を必要とする場合がある。図１の通信システム１００は、以下に説明されるように、例えば地上局１０６が送信された信号のローカルコピーを有していないバランスがとれていない手法の例である。
【００１８】
地上局１０２は、衛星１１０に信号１２２（Ｔ１）を送信してよく、信号は次いで地上局１０４、１０６に中継される。地上局１０４は、衛星１１０に信号１２４（Ｔ２）を送信してよく、信号は地上局１０２及び地上局１０６に中継される。地上局１０２は、（Ｓ１＋Ｓ２として示される）複合信号１３４として、信号１２４（Ｔ２）及びそれ自体の送信信号１２２「Ｔ１」のエコーを受信してよい。同様に、地上局１０４は、（Ｓ１＋Ｓ２として示される）複合信号１３２として、信号１２２（Ｔ１）及びそれ自体の送信信号１２４（Ｔ２）のエコーを受信してよい。図１で使用されるように、「Ｔ」は送信された信号を示す。一方、「Ｓ」は、地上局１０２、１０４、１０６の１つ以上で受信される対応する信号を示す。また、「Ｓ１」及び「Ｓ２」は、複合信号（例えば、複合信号１３２、１３４、１３６）の成分信号を指す場合もある。
【００１９】
一部の実施形態では、地上局１０２、１０４の両方ともエコーキャンセルで使用するための送信信号１２２、１２４のローカルコピーを有する場合がある。一部の場合には、自己干渉する送信信号の除去が、例えばエコーキャンセル等のプロセスを使用し、達成される。係る実施形態では、「エコー」は、送信信号１２２、１２４をサンプリングし、この信号を遅延線（不図示）を通して処理し、入信複合信号１３２、１３４の位相及び利得を一致させ、ダウンリンク信号の中で送信信号をキャンセルして、処理された周波数空間の中で追加の信号を抽出することにより提供されてよい。エコーキャンセルは、それらが信号１２２及び信号１２４をそれぞれ受信し、無事に復調でき得るように、通信システム１００の中で一定レベルの干渉低減を提供し得る。
【００２０】
他方、地上局１０６は独自の信号を送信せず、したがって信号１２２（Ｓ１）及び信号１２４（Ｓ２）の受信及び処理のための著しいエコーキャンセル能力を有さない場合がある。信号１２２（Ｓ１）及び信号１２４（Ｓ２）は、ともに、地上局１０６により受信されるので、複合信号１３６と呼ばれる。複合信号１３６は、２つの信号Ｓ１＋Ｓ２の組合せである、複合信号１３２及び複合信号１３４に類似する場合がある。一部の実施形態では、信号１２２及び信号１２４のどちらか又は両方とも、地上局１０６にとって関心のある信号である場合がある。
【００２１】
しかしながら、複合信号１３６は、異なる動作環境に起因する異なる形式及びレベルの干渉にさらされる場合がある。一部の実施形態では、複合信号１３２、１３４、１３６は、さらにエコー干渉に加えてさまざまな量の干渉を含む場合がある。また、他の実施形態では、複合信号１３２、１３４、１３６の中で発見される１つ以上の信号１２２、１２４は、本明細書では成分信号と呼ばれる場合もある。したがって、例えば、信号１２２及び信号１２４は、複合信号１３６の成分信号と呼ばれる場合がある。また、ともに送信される２つの変調信号は、追加変調と見なされる場合もある。
【００２２】
一部の実施形態では、関心のある信号（例えば、信号１２２及び／又は信号１２４）は、複合信号１３６からキャンセルされ、例えばノイズフロアを離れる場合がある。本明細書で使用されるノイズフロアは、概して、監視されている１つ又は複数の信号以外の任意の信号としてノイズが定義される測定システムの中のすべてのノイズソース及び不必要な信号の和から作成又は再生される信号の基準を指す場合がある。ノイズフロアは、関心のある信号（例えば、信号１２２、１２４）が複合信号１３６から除去された後の残留信号又は残りのノイズを記述する場合がある。ノイズフロアは、次いで、キャンセル信号を作成するために、本明細書に説明される（図６に関連して以下に説明される）干渉軽減方法又は干渉除去方法を使用し、特徴付けられる場合がある。
【００２３】
一部の実施形態では、ノイズフロアは、特徴付けられない場合がある。したがって、作成されたキャンセル信号は、ノイズフロアを低減するために、周波数変動及び振幅変動を補償しながらフィードフォワードループ内で、複合信号のコピーと結合される場合がある。これは、関心のある信号に対するより高い信号対ノイズ（ＳＮＲ）比を生じさせる場合がある。これは、より高次の変調方式の使用を可能にすることによって信号の潜在的なデータスループットを高め、したがって衛星１１０全体のスループットを高める場合がある。
【００２４】
一部の実施形態では、利用可能な周波数スペクトルの使用を最大限にするために、信号１２２及び信号１２４は、同じ又は類似した帯域幅を使用してよい。一部の実施形態では、信号１２２及び信号１２４は同じ振幅を有する場合がある。いくつかの他の実施形態では、信号１２２及び信号１２４は、帯域幅、位相、及び振幅の１つ以上でわずかに異なる場合がある。したがって、地上局１０２、１０４は、そのそれぞれの信号（Ｔ１、Ｔ２）、例えば信号１２２及び信号１２４を送信するために偶発的に又は故意に類似する周波数、帯域幅、及び出力レベル（例えば振幅）を利用する場合がある。このようにして、地上局１０６は受信信号間で著しい又は完全な周波数重複を有する信号１２２及び信号１２４を受信する場合がある。一部の実施形態では、図７Ａ、図７Ｂ、及び図７Ｃに関連して以下に説明される３つ以上の重複信号がある場合がある。関心のある２つ以上の信号の重複は、地上局１０６に、例えば信号１２２及び信号１２４等、重複し、おそらく干渉する信号の分離及び構文解析を必要とする特定の問題を提示する場合がある。
【００２５】
本明細書に説明される変調は、アナログ変調又はデジタル変調を含む場合があるが、これに限定されるものではない。本明細書で参照される変調方式のいくつかは、他のタイプの変調、時分割多元接続（ＴＤＭＡ）、符号分割多元接続（ＣＤＭＡ）、直交周波数分割多元接続（ＯＦＤＭＡ）、及び連続位相変調（ＣＰＭ）の中で、直交振幅変調（ＱＡＭ）、位相偏移変調（ＰＳＫ）、二進ＰＳＫ（ＢＰＳＫ）、四ＰＳＫ（ＱＰＳＫ）、差動ＰＳＫ（ＤＰＳＫ）、差動ＱＰＳＫ（ＤＱＰＳＫ）、振幅及び位相偏移変調（ＡＰＳＫ）、オフセットＱＰＳＫ（ＯＱＰＳＫ）、振幅偏移変調（ＡＳＫ）、最小偏移変調（ＭＳＫ）、ガウスＭＳＫ（ＧＭＳＫ）を含む場合があるが、これに限定されるものではない。２〜３例を挙げると、例えばＱＡＭ及びＡＰＳＫ等の特定の変調タイプは、例えば４ＱＡＭ、８ＱＡＭ、及び１６ＡＰＳＫ等の係数で異なる場合もある。
【００２６】
図２は、図１の通信システムの中で利用されてよい通信デバイスの構成要素の機能ブロック図である。図示されるように、通信デバイス２００は、図１の地上局として実装されてよい。例えば、通信デバイス２００は地上局１０６を含んでよい。
【００２７】
通信デバイス（「デバイス」）２００は、通信デバイス２００の動作を制御するプロセッサ２０４を含んでよい。また、プロセッサ２０４は、中央演算処理装置（ＣＰＵ）と呼ばれる場合もある。通信デバイス２００は、プロセッサ２０４に命令及びデータを提供する読取り専用メモリ（ＲＯＭ）とランダムアクセスメモリ（ＲＡＭ）の両方を含む場合がある、プロセッサ２０４に動作可能に接続されたメモリ２０６をさらに含んでよい。また、メモリ２０６の一部分は、不揮発性ランダムアクセスメモリ（ＮＶＲＡＭ）も含んでよい。プロセッサ２０４は、通常、メモリ２０６の中に記憶されたプログラム命令に基づいて論理演算及び算術演算を実行する。メモリ２０６内の命令は、本明細書に説明される方法を実施するために実行可能であってよい。
【００２８】
通信装置２００が受信ノード又は地上局として実装され、又は使用されるとき、プロセッサ２０４は、複数の異なる信号タイプからの情報を処理するように構成されてよい。係る実施形態では、通信デバイス２００は、地上局１０６として実装され、複合信号１３６を受信し、複合信号１３６を構文解析する又はその成分信号（例えば、信号１２２及び信号１２４）に分離するように構成されてよい。例えば、プロセッサ２０４は、信号１２２、１２４を再作成又は再生するために他の伝送特性の中で、周波数、帯域幅、変調タイプ、形成因子、及びシンボル軌跡を決定するように構成されてよい。プロセッサ２０４は、係る決定を達成するために特定の信号分離及び干渉低減モジュール（「モジュール」）２０２で多様なプロセス又は方法を実装してよい。また、モジュール２０２は、以下の図３に関連して説明される適応再生技術（ａｄａｐｔｉｖｅ  ｒｅｇｅｎｅｒａｔｉｖｅ technology(ART)）を含む場合もある。
【００２９】
プロセッサ２０４は、１つ以上の適応等化器（不図示）をさらに含んでよい。適応等化器は、時間領域で入信信号を推定し、特徴付けるように構成されてよい。
【００３０】
プロセッサ２０４は、１つ以上のプロセッサ２０４で実装された処理システムを含んでよい、又は処理システムの構成要素であってよい。１つ以上のプロセッサ２０４は、汎用マイクロプロセッサ、マイクロコントローラ、デジタルシグナルプロセッサ（ＤＳＰ）、フィールドプログラマブルゲートアレイ（ＦＰＧＡ）、プログラム可能論理回路（ＰＬＤ）、コントローラ、状態機械、ゲートロジック、離散ハードウェア構成要素、専用ハードウェア有限状態機械、又は計算若しくは他の情報操作を実行できる任意の他の適切なエンティティの任意の組合せで実装されてよい。
【００３１】
また、プロセッサ２０４は、ソフトウェアを記憶するための機械可読媒体を含んでもよい。ソフトウェアは、ソフトウェア、ファームウェア、ミドルウェア、マイクロコード、ハードウェア記述言語、それともそれ以外のものと呼ばれるかどうかに関わりなく任意のタイプの命令を意味すると幅広く解釈されるものとする。命令は、（例えば、ソースコードフォーマット、バイナリコードフォーマット、実行可能コードフォーマット、又はコードの任意の他の適切なフォーマットの）コードを含んでよい。命令は、１つ以上のプロセッサ２０４により実行されるとき、処理システムに本明細書に説明される多様な機能を実行させる。
【００３２】
また、通信デバイス２００は、通信デバイス２００とリモート位置との間でのデータの送信及び受信を可能にするために、送信機２１０及び受信機２１２を含んでよい筐体２０８を含んでもよい。例えば、係る通信は、地上局１０２、１０４、１０６の間で起こる場合がある。送信機２１０及び受信機２１２は、トランシーバ２１４の中に結合されてよい。アンテナ２１６は筐体２０８に取り付けられ、トランシーバ２１４に、又は送信機２１０及び受信機２１２に独立して電気的に結合されてよい。また、通信デバイス２００は、（不図示）多数の送信機、多数の受信機、多数のトランシーバ、及び／又は多数のアンテナを含んでもよい。
【００３３】
また、通信デバイス２００は、トランシーバ２１４により受信される信号のレベルを検出し、数値化しようと努力して使用され得る信号検出器２１８を含んでもよい。信号検出器２１８は、周波数、帯域幅、シンボルレート、全エネルギー、シンボルあたりのエネルギー、パワースペクトル密度、及び他の信号特性等の信号特性を検出してよい。また、信号検出器２１８は、（図３に説明される）「ウィンドウモジュール」を含んでもよく、入信データ（例えば、１つ以上の信号１２２、１２４）を処理し、プロセッサ２０４が使用中の無線通信スペクトルの正しい帯域幅制限部分を受信していることを確実にするようにさらに構成されてよい。非制限例として、地上局１０２、１０４への及び地上局１０２、１０４からの特定の伝送は、伝送が衛星１１０で受信され、地上局１０６に別のルートで送られる時刻による特定の時間変動及び周波数変動を被る場合がある。係る変動は、他の要因の中でも、ドップラー偏移及び移動距離に起因する場合がある。したがって、信号検出器２１８（又はウィンドウモジュール）は、プロセッサ２０４が信号（複数可）１２２、１２４、１３６を含むスペクトルの正しい部分を受信したことを確実にするために帯域幅及び中心周波数について入信信号（複数可）１３６を訂正してよい。
【００３４】
また、通信デバイス２００は、信号を処理する際に使用するためのデジタルシグナルプロセッサ（ＤＳＰ）２２０を含んでもよい。ＤＳＰ２２０は、伝送用のデータ単位を生成するように構成されてよい。ＤＳＰ２２０は、複合信号１３６の特定の特性を決定するために、信号検出器２１８及びプロセッサ２０４とさらに協調してよい。
【００３５】
通信デバイス２００は、一部の態様ではユーザインタフェース２２２をさらに含んでよい。ユーザインタフェース２２２は、キーパッド、マイク、スピーカ、及び／又はディスプレイを含んでよい。ユーザインタフェース２２２は、通信デバイス２００のユーザに情報を伝達する、及び／又はユーザからの入力を受け取る任意の要素又は構成要素を含んでよい。
【００３６】
本明細書に説明される通信デバイス２００の多様な構成要素は、バスシステム２２６により互いに結合されてよい。バスシステム２２６は、データバス、及びデータバスに加えて、例えば電力バス、制御信号バス、及びステータス信号バスも含んでよい。当業者は、通信デバイス２００の構成要素が互いに結合されてよい、又はなんらかの他の機構を使用し、入力を受け入れる若しくは互いに入力を提供してよいことを理解する。
【００３７】
図２にいくつかの別個の構成要素が示されるが、構成要素の１つ以上は結合されてよい、又は共通に実装されてよい。例えば、プロセッサ２０４は、プロセッサ２０４に関して上述された機能性を実装するだけではなく、信号検出器２１８及び／又はＤＳＰ２２０に関して上述された機能性を実装するためにも使用されてよい。さらに、図２に示される構成要素のそれぞれは、複数の別個の要素を使用し、実装されてよい。さらに、プロセッサ２０４は、以下に説明される構成要素、モジュール、回路等のいずれかを実装するために使用されてよい、又はそれぞれは複数の別個の要素を使用し、実装されてよい。
【００３８】
図３は、信号復調器（「復調器」）の機能ブロック図である。復調器３００は、一部分が１つ以上の関心のある信号を含む場合がある未処理信号３１０を受信する場合がある。例えば、地上局１０６は、上述されるように、多数の成分信号１２２、１２４を有する場合がある複合信号１３６を含んだ未処理信号３１０を受信してよい。未処理信号３１０は、スペクトル全体又は無線通信（例えば、衛星通信）のために使用中の周波数のスペクトルを含む場合がある。
【００３９】
未処理信号３１０は、受信機２１２（図２）により受信され、デジタル化モジュール３２０により処理される。デジタル化モジュール３２０は、未処理信号３１０をアナログ信号からデジタル信号に変換するための１つ以上のアナログデジタル（Ａ２Ｄ）コンバータを含む場合がある。デジタル化モジュール３２０は、デジタル化された信号３２２を出力できる。
【００４０】
復調器３００は、デジタル化モジュール３２０に動作可能に結合されたウィンドウモジュール３２５をさらに有する場合がある。上述されたように、ウィンドウモジュール３２５は、信号検出器２１８の構成要素である場合がある。また、ウィンドウモジュール３２５は、本明細書に説明されるプロセスを完了するためにプロセッサ２０４及びＤＳＰ２２０と協調する場合もある。
【００４１】
一部の実施形態では、ウィンドウモジュール３２５は、復調器３００が関心のある信号（複数可）を包含するスペクトルの所望される部分を処理することを確実にするために、デジタル化された信号３２２の帯域を制限する（例えば、帯域制限する）又はデジタル化された信号３２２の一部分に集中するように構成される場合がある。一部の実施形態では、スペクトルの所望される部分は、１つ以上の関心のある信号（例えば、信号１２２及び信号１２４）を含んでよい。また、ウィンドウモジュール３２５は、関心のある信号（複数可）（例えば、複合信号１３６及び信号１２２、１２４）が復調器３００により処理されるように、中心周波数及び帯域幅のためのスペクトルの帯域制限された部分を訂正することもできる。以下の説明のために、ウィンドウモジュール３２５により制限されたデジタル化された信号３２２の帯域制限部分は、本明細書で概してウィンドウ信号３２８と呼ばれる場合がある。一部の実施形態では、ウィンドウ信号３２８は、多数の成分信号（例えば、信号１２２及び信号１２４）を含んだ複合信号１３６のデジタル形式であってよい。成分信号の１つ以上は、関心のある信号（複数可）である場合がある。
【００４２】
復調器３００は、干渉検出器３３０をさらに含む場合がある。一部の実施形態では、干渉検出器３３０は、ウィンドウ信号３２８を受信し、他の干渉信号に加えて、信号１２２及び信号１２４、又は複合信号１３６の存在を決定するように構成される場合がある。一部の実施形態では、それ自体個別に変調される（例えば、ＱＰＳＫ、４ＱＡＭ、１６ＡＰＳＫ等）２つ以上の信号は、複合信号１３６としてともに伝搬されるとき、さらに変調と見なされてよい。
【００４３】
干渉検出器３３０は、複数の干渉信号（例えば、信号１２２及び信号１２４）の存在を決定するために、入信ウィンドウ信号３２５を時間領域で処理する場合がある。また、干渉検出器３３０は、周波数領域のウィンドウ信号３２８を処理する場合もある。一部の実施形態では、干渉検出器３３０は、多数の成分信号の存在を決定するためにウィンドウ信号３２８の係数のフーリエ変換を解析できる。いくつかの他の実施形態では、干渉検出器３３０により実施されるプロセスは、ソフトウェアに実装できる。
【００４４】
干渉検出器３３０は、少なくとも１つの変調推定値及びシンボルレート又はクロックレートの推定値を決定するために周波数と時間の両方でプロセスを使用してよい。一部の実施形態では、変調推定値は、連続波（ＣＷ）がウィンドウ信号３２８のｎ乗の積になるまで、ウィンドウ信号３２８をそれ自体ｎ倍乗算することにより導出されてよい。本明細書に使用されるように、信号をそれ自体で乗算する、つまり信号をｎ乗する演算は、概して「累乗」と呼ばれる。ウィンドウ信号３２８の累乗は、時間領域及び周波数領域での多数の成分信号の存在を決定するために多数回、完了される場合がある。したがって、ウィンドウ信号３２８は、干渉検出器３３０（又は信号検出器２１８）が、ウィンドウ信号３２８に１つの信号、２つの信号、又はそれ以上の信号があると判断するまでそれ自体で乗算されてよい。成分信号（例えば、信号１２２及び信号１２４）のそれぞれは、異なる変調を有し、このようにしてｎの異なる指数でＣＷ積を生じさせてよい。例えば、３つの異なる変調タイプの３つの成分信号を有する複合信号１３６の累乗は、ｎの３つの異なる指数で３つの別個のCW波形を生じさせることができる。別の例では、成分信号の２つ以上が同じ変調を有する場合があり、したがってＣＷ波形は、ｎの同じ値で生じるであろう。一部の実施形態では、ｎの指数は２の倍数である。
【００４５】
干渉検出器３３０は、ウィンドウ信号３２８の指数関数によりシンボルレート推定値をさらに導出する場合がある。一部の実施形態では、信号がそれ自体で数回乗算されるとき、シンボルの位相は相互に関連する又はキャンセルし、周波数領域で単一の周波数で示されるＣＷ積を生じさせる場合がある。また、プロセスは、ＣＷ周波数の回りで（つまり、周波数領域内で）均等に離間される小さいサイドローブ（サイドスプール（ｓｉｄｅ  ｓｐｕｒｓ））を生じさせてもよい。サイドローブの間隔は、対応する成分信号の搬送波のシンボルレートに関係しており、シンボルレートを推定するために使用されてよい。干渉検出器３３０は、１つ以上のシンボルレート推定値をさらに精緻化して成分信号に対応する１つ以上の実際のシンボルレートを導出するために、べき乗の積（複数可）及び「サイドスプール」の間隔を使用するように構成された１つ以上の適応等化器（不図示）をさらに有する場合がある。一部の実施形態では、係る適応等化器は、実際のシンボルレートを導出するために、シンボルレート推定値（複数可）の倍数で実行できる。一部の実施形態では、このプロセスは、ｎのディスティンクト値（ｄｉｓｔｉｎｃｔ  ｖａｌｕｅ）（例えば、ｎの指数）ごとに完了されてよい。１つ以上の実際のシンボルレートは、ウィンドウ信号３２８に存在する１つ以上の成分信号に対応する場合がある。例えば、複合信号が、（上記のような）３つの異なるシンボルレートを有する３つの例示的な成分信号を有する場合、３つの別個のシンボルレートが干渉検出器３３０により導出される場合がある。実施形態では、同じシンボルレートを有する２つ以上の成分信号が存在してよい。別の実施形態では、２つ以上の成分信号（例えば、信号１２２及び信号１２４）は、同じシンボルレートを有する場合があるが、異なる変調を有する場合がある。
【００４６】
復調器３００は、１つ以上の適応再生器（「ＡＲＴ」）３５０をさらに含む場合がある。本明細書で使用される頭字語「ＡＲＴ」は、「適応再生技術」を表し、概してＡＲＴ３５０を含んだプロセッサを指す場合がある。図３のＡＲＴ３５０は、多数のサブコンポーネント又はモジュールを有してよい。１つ以上の信号（例えば、関心のある信号及び干渉信号）が干渉検出器３３０により検出されるとき、ウィンドウ信号３２８は、ＡＲＴ３５０の中のセパレータモジュール３５２に移ってよい。
【００４７】
セパレータモジュール３５２は、シンボルレートのＸ倍で（干渉検出器３３０からの）変調推定値を使用し、ウィンドウ信号３２８を再サンプリングしてよい。一部の実施形態では、ウィンドウ信号３２８は、干渉検出器３３０と同様に、干渉検出器３３０により検出されたシンボルレートごとにシンボルレートのＸ倍で再サンプリングされる場合がある。このようにして、セパレータモジュール３５２は、高いレートで入信成分信号（複数可）をサンプリングし、ウィンドウ信号３２８に存在する成分信号のそれぞれの変調タイプのシンボル軌跡、形成因子、及びより正確な推定値を導出する場合がある。また、セパレータモジュール３５２は、成分信号の周波数及び帯域幅、並びにウィンドウ信号３２８の中の成分信号（例えば、信号１２２、１２４）のそれぞれの間の位相オフセットを決定することもできる。本明細書で使用されるように、形成因子は、概して所与の成分信号（例えば、信号１２２又は信号１２４）の信号エネルギーの集中又は分散を指してよい。一部の実施形態では、形成因子は、ウィンドウ信号３２８のルートレイズドコサイン（ｒｏｏｔ−ｒａｉｓｅｄ  ｃｏｓｉｎｅ）スペクトルであってよい。形成因子は、ウィンドウ信号３２８の周波数領域を指すときに使用されてよい。一方、「パルス形成」は、ウィンドウ信号３２８の時間領域を指すときに使用されてよい。
【００４８】
ＡＲＴ３５０は、セパレータモジュール３５２に動作可能に結合された再生器モジュール３５４をさらに有する場合がある。再生器モジュール３５４は、成分信号（例えば、信号１２２、１２４）のそれぞれを再生する又は合成するために、成分信号の形成因子、変調、及び位相オフセットと結合されたシンボル軌跡を使用できる。再生器モジュール３５４は、再生された信号３５５として、成分信号のそれぞれの合成又は再生において帯域幅、周波数オフセット、及び振幅を使用してよい。再生された信号３５５は、（省略記号で示されるような）多数の信号、つまり、例えば成分信号１２２、１２４のそれぞれの再生されたバージョン又は合成されたバージョンを表す場合がある。再生された信号（複数可）３５５は３５５ａ、３５５ｂに分類され、信号処理の多数の考えられる経路を示す。一部の実施形態では、再生された信号３５５のそれぞれの合成は、同時に又は少なくとも並行して完了されてよい。
【００４９】
実施形態では、再生器モジュール３５４は、再生サポートモジュール３５８を有する場合がある。再生サポートモジュール３５８は、セパレータモジュール３５２から信号再生に関係するデータを受信する場合がある（例えば、形成因子、変調、及び位相オフセットと結合されたシンボル軌跡）。再生サポートモジュール３５８は、必要に応じて、再生器モデム３５９への及び再生器モデム３５９からの、並びに復調器３００の他の部分への係る信号再生データ及びウィンドウ信号３２８の伝送をさらに制御できる。
【００５０】
一部の実施形態では、再生器モデム３５９は、復調器３００の残りから離れて位置する場合があるが、再生サポートモジュール３５８に通信で結合される場合がある。再生器モデム３５９は、例えばオフチップで位置する場合がある。復調器３００及び再生器モデム３５９は、相補的な電子機器であるが、別個の構成要素に実装できる。例えば、復調器３００の大多数はＦＰＧＡ上にある場合がある。一方、再生器モデム３５９はそのＦＰＧＡの外部であるが、再生器モジュール３５４の一部として機能する。再生器モデム３５９は、このようにして例えば別個のＡＳＩＣ、別のＦＰＧＡ、固定機能ＦＰＧＡ、又は離散モデム若しくはスタンドアロンモデムに含まれる場合がある。
【００５１】
一部の実施形態では、ＤＶＢ−Ｓ２Ｘ（デジタルビデオ放送衛星）等の特定の波形は動的なフォーマットを有し、特定の製造業者により設計され、構築された専用の復調器／変調器を必要とする場合がある。衛星波形を用いる用途のためにＦＰＧＡの中で包括的な構成要素からモデムを構築するよりむしろ、別個のチップ／ボードのＦＰＧＡで（専用チップ又はＦＰＧＡモジュールのどちらかを介して）サードパーティデバイスを実装することが、ほぼいずれの信号波形との使用のために復調器３００を適応するための高められた柔軟性を提供する。
【００５２】
再生器モデム３５９は、例えば保護されたモデム３８０等のベンダ特有の衛星通信無線と関連付けられたモデムである場合がある。再生器モデム３５９の構成は、ユーザ、周波数の特定の範囲、又は保護されたモデム３８０と関連付けられた特定の使用にとって特有であってよい。したがって、再生器モデム３５９の物理的特性及び操作特性は、保護されたモデム３８０に従って変わる場合がある。したがって、復調器３００を特定の保護されたモデム３８０と動作するように構成することにより実現された一定の優位点又は効率があってよい。
【００５３】
一部のシステムでは、特定の干渉キャンセルプロセスは、例えば、最高の信号強度を有する信号を有する第１の信号を合成する場合がある。係るプロセスでは、再生器モジュール３５４は、第１の段階で高パワー信号を再生し、次いで連続再生段階を使用して（より）低いパワー信号（複数可）を合成するために、高パワー信号と低パワー信号との間でパワー分離を使用してよい。この第１の（高パワー）信号は、元の信号（例えば、未処理信号３１０）からキャンセル又は低減され、残留信号（例えば、第１の信号を差し引いた未処理信号３１０）を形成する場合がある。干渉低減プロセスは、次に最も高い信号強度を有する信号を除去する、及び／又は１つ以上の復調された又は合成された信号の信号品質を改良するために、残留信号に対して繰り返される場合がある。このプロセスは、関心のある信号（複数可）をさらに改良するために数回反復される場合がある。係る反復は、例えば順次処理、つまりシリアル処理を達成するために、集積回路上の追加の空間が多数のＦＰＧＡを収容することを必要とする場合がある。代わりに、同じ回路が多数の反復を課される場合、処理時間は大幅に増加してよい。
【００５４】
再生器モデム３５９は、成分信号、又は再生サポートモジュール３５８を介してセパレータモジュール３５２により導出される関心のある信号（複数可）に関する情報を受信する場合がある。一部の実施形態では、再生器モデム３５９は、例えばＡＲＴ３５０よりもより高速の処理をサポートできる。これは、本明細書では「リアルタイムより高速」と呼ばれる場合があり、「リアルタイム」は、ＡＲＴ３５０の中で信号を合成するために要する処理時間に関連している。一部の例では、ＡＲＴ３５０は、第１のデータレートで信号データを受信する又は「消費する」場合がある。他方、再生器モデム３５９は、第１のレートの倍数である第２のレートで信号データを処理できる。
【００５５】
少なくとも１つの実施態様では、再生サポートモジュール３５８は、第１のデータレート（例えば、５０ＭＨｚ、１００ＭＨｚ、又は３００ＭＨｚ）でデータを受信する又は「消費する」場合がある。再生器モデム３５９は、第１のデータレートよりも著しく速い、又は第１のデータレート（例えば、５００ＭＨｚ）の倍数である第２のデータレートで係るデータを処理できる。倍数は、２、３、４、５、６、７、８、９、１０以上の係数、又は間の任意の値である場合がある。いくつかの他の実施形態では、処理は依然としてさらに速い場合がある。例えば、ＡＲＴ３５０は、３００ＭＨｚの第１のレートでデータを消費してよい。一方、再生器モデム３５９は、例えば３ＧＨｚの第２のレートで信号データを処理する場合がある。
【００５６】
再生器モデム３５９により提供されるより高速の処理は、ＡＲＴ３５０が、データが再生器モジュール３５４（例えば、再生器モデム３５９）で受け取られる（例えば、消費される）よりも速く、関心のある多様な信号（又は干渉信号）を復調し、（再）変調する、又は合成することを可能にする場合がある。これは、追加の処理の前に再生器モジュール３５４の中での信号処理（例えば、変調、復調、信号再生）の複数の反復又はループを可能にする場合がある。一部の実施形態では、再生器モデム３５９の、ＡＲＴ３５０の残りから分離された態様は、処理の速度及び効率を高めつつ、回路設計を簡略化できる。例えば、再生器モジュール３５４の中での変調／復調の多数の反復は、未処理信号３１０から関心のある多数の信号を除去するためのプロセスを繰り返し反復する必要性を緩和し得る。
【００５７】
係る構成の別の考えられる優位点は、特定の復調器３００が、異なる再生器モデム３５９、したがって異なる保護されたモデム３８０と動作できるようにする。復調器３００が、順方向誤り訂正（ＦＥＣ）及び他のデータ処理方法を含んだ、保護されているモデム３８０が実装することを正確に実装するとき、性能の上昇は、本明細書に開示される信号キャンセル方法から実現され得るため、特定の製造業者が協調する動機を与えられる場合がある。例えば、ＦＥＣは、リンク内のエラーを訂正する、又はそれ以外の場合リンク利得を改善するために実装できる。ＤＶＢ−Ｓ２Ｘ等のいくつかの波形は、リンク計算の一部としてＦＥＣリンク利得を実装できる。係る波形は、動的ＦＥＣを有する場合があり、リンクマージンが変化するにつれ、ＦＥＣレートも調整できることを意味する。
【００５８】
一部の実施形態では、再生された信号３５５ａが成分信号（例えば、信号１２２及び信号１２４）の１つである場合、プロセッサ２０４は、成分信号のどれが、所望される信号であるのかを判断し、所望される信号（例えば、信号１２２）を保護する、又はそれ以外の場合隔離し、所望される信号に集中する場合がある。再生器モジュール３５４は、１つ以上の再生された信号３５５を反転モジュール３５６に渡す場合がある。再生された信号３５５ａは、反転モジュール３５６の中で反転され、後に未処理信号３１０からキャンセルされる場合がある。同様に、再生された信号３５５ｂは、再生された信号３５５のより改良されたバージョンのための追加処理のために、再生された信号３５５ｂの性質に応じて、干渉検出器３３０又はセパレータモジュール３５２に供給し直される場合がある。
【００５９】
例えば、信号１２２及び信号１２４がウィンドウ信号３２８の成分信号である場合、プロセッサは、所望される信号として信号１２２（例えば、再生された信号３５５ａ）を選択し、信号１２２の「干渉のない」バージョンを出力してよい。「干渉のない」バージョンは、低減された、又は無視できるほどの干渉信号強度を有する場合がある。一部の実施形態では、関心のある信号（例えば、信号１２２）は、複合信号１３６のノイズフロアをさらに特徴付けるために使用できる。ノイズフロアは、次いで関心のある信号（例えば、信号１２２）のＳＮＲを増加させるためにキャンセルされる場合がある。再生器モジュール３５４及びキャンセルモジュール３６０からの多様なフィードバックループは、関心のある信号、干渉信号、ノイズフロア等の１つ以上を、関心のある信号を改良するために使用できるようにする。
【００６０】
再生された信号（複数可）３５５ａが関心のある信号ではない場合、それらは干渉キャンセルに使用されてよい。ＡＲＴ３５０は、再生器モジュール３５４に動作可能に結合された反転モジュール３５６をさらに有する場合がある。反転モジュール３５６は、再生された信号３５５ａ（例えば、信号１２２）を反転し、反転されたコピーをキャンセルモジュール３６０のデジタル化信号３２２のコピーと合計できる。処理時間のため、デジタル化信号３２２のコピーは、例えば信号キャンセルに適切な位相を提供するために遅延モジュール３６５を通して提供されてよい。キャンセルモジュール３６０は、利得及び位相のために干渉信号の反転されたコピーを未処理信号３１０で訂正して、干渉のない信号３７０を生じさせてよい。一部の実施形態では、干渉のない信号３７０は、破線で示されるように、キャンセルモジュール３６０から干渉検出器３３０又はセパレータモジュール３５２に干渉のない信号３７０を供給することによって、存在する任意の干渉をさらに低減するために再度処理されてよい。干渉のない信号３７０は、所望される信号（例えば、信号１２２）の合成されたコピー又は干渉信号（例えば、信号１２４）がキャンセルされたデジタル化信号３２２のコピーと見なされてよい。信号１２２及び信号１２４は、本明細書では一次例として使用されるが、それぞれが多数の信号又は干渉する複雑な変調を表す場合がある。上記例では、所望される信号は信号１２２であり、信号１２４は干渉信号である。したがって、信号１２４は、多数の干渉信号をともに表す場合がある。
【００６１】
一部の実施形態では、復調器３００は、処理された信号をアナログ信号に変換して戻し得る、キャンセルモジュール３６０及び再生器モジュール３５４に結合されたデジタルアナログ（Ｄ２Ａ）コンバータ（不図示）をさらに有する場合がある。
【００６２】
一部の実施形態では、成分信号（例えば、信号１２２及び信号１２４）のそれぞれの再生は、同時に又は少なくとも並列して完了されてよい。ＡＲＴ３５０の部分は、未処理信号３１０の中で多数の信号を改良するために反復シーケンスで使用される場合がある。関心のある多数の信号が存在する場合、合成された、つまり再生された成分信号は、追加処理のために干渉検出器３３０にフィードバックされる場合がある。例えば、最強の信号が最初に再生される場合、復調器３００は、最高のパワー信号を除去又はキャンセルし、ＡＲＴ３５０の中での追加処理のために残留信号（例えば、干渉のない信号３７０）を提供することによってより低いパワー成分信号を改良できる。これは、例えば、図４、図５、及び図６に関連してさらに詳細に説明される。以下に説明されるように、多様な構成が可能であり、再生された信号の１つ以上の特定のバージョンを、再生器モジュール３５４から干渉検出器３３０及び／又はセパレータモジュール３５２に送り返す。これらの多様なルートは、破線で示される。合成された（再生された）信号の性質に応じて、復調器３００は、再生された信号、つまり残留信号をさらに処理する場合がある。
【００６３】
図４は、図３の復調器を使用する干渉低減のための方法の実施形態を示す機能ブロック図である。概して、ＡＲＴ３５０は、多数の信号のブラインド信号分離、信号合成、及び信号復調を並行して又は同時に実行できる。説明の便宜上、信号合成は多数の段階に分解され、例示的な高パワー信号を合成し、次いで別の（より）低いパワー信号を抽出する、つまり推定するために、再生された高パワー信号を使用する場合がある。推定された低パワー信号は、次いで高パワー信号を改良するために使用される場合がある。段階は、例えば複合信号１３６の中の任意の数の追加信号のために繰り返す、つまり反復することができる。
【００６４】
第１の段階４１０で、復調器３００は、複合信号１３６を受信する場合がある。また、複合信号１３６は、このようにして上述されたようにデジタル化モジュール３２０で受信された未処理信号３１０である場合もある。
【００６５】
第１の段階４１０で、ＡＲＴ３５０は、例えば干渉検出器３３０から信号１３６の中の成分信号（例えば、信号１２２、１２４）についての情報を受け取る場合がある。セパレータモジュール３５２は、次いでウィンドウ信号３２８を再サンプリング（オーバーサンプリング）し、ＡＲＴ３５０が、例えば多様な成分信号の形成因子、変調、及び位相オフセットと結合されたシンボル軌跡を使用し、１つ以上の成分信号の第１の復調４１２を実行できるようにする。これは、信号の第１の推定値又は第１の復調推定値を生じさせる場合がある。例えば図４に示される例等の一部の例では、信号１２２は、複合信号１３６の中の多数の信号の（最も）高いパワー信号である場合がある。したがって、高パワーは、より多くの信号強度を提供し、信号分離を容易にするため、第１の段階４１０で、信号１２２（「Ｈ」は「高パワー」の意）は推定信号Ｈ４２０として最初に合成され（例えば、復調され）てよい。第１の段階４１０は、例えばセパレータモジュール３５４で実装されるプロセスに類似する場合がある。ＡＲＴ３５０は、次いで信号「Ｈ〜」４２２の合成バージョンを導出するために推定信号Ｈ４２０（例えば、信号１２２）の第１の再変調４１４を実行できる。ＡＲＴ３５０は、次いで（例えばキャンセルモジュール３６０で）キャンセル４１６を実行し、合成信号Ｈ〜４２２を復号信号１３６から除去する場合がある。これは、推定された低パワー信号Ｌ’４２４（この例では信号１２４）と本明細書では呼ばれる低パワー信号（「Ｌ」）の推定値である残留信号を残す場合がある。
【００６６】
第１の段階４１０は次いで、合成された高パワー信号Ｈ〜４２２、低パワー信号Ｌ’４２４の推定値、及び複合信号１３６を出力する場合がある（例えば、複合信号１３６のコピーは、第１の段階４１０を通過する場合がある）。これらの出力は、第２の段階４３０に送られる場合がある。第２の段階４３０は、第１の段階４１０の出力を受け取り、低パワー信号Ｌ’４１５の推定値に対して第２の復調４３２を実行する場合がある。ＡＲＴ３５０は、次いで低パワー信号Ｌ〜４４２の合成バージョンを導出するために第２の再変調４３４を実行する場合がある。ＡＲＴ３５０は、次いでキャンセル４３６を実行し、低パワー信号Ｌ〜強度を低減又は除去して、高パワー信号Ｈ’４３５の改良された推定値又は改良された合成バージョンを生じさせる場合がある。第１の段階４１０及び第２の段階４３０は、このようにして干渉を低減して、複合信号１３６の中の多様な成分信号を特徴付け、分離するために協力して使用される場合がある。
【００６７】
一部の実施形態では、第１の段階４１０及び第２の段階４３０は、ＡＲＴ３５０の中で対にされたプロセスの集合として使用される場合がある。第１の段階４１０及び第２の段階４３０は、合成された高パワー信号Ｈ〜４２２及び合成された低パワー信号Ｌ〜、及び／又は複合信号１３６の中に存在する任意の他の信号をさらに改良するために任意の回数繰り返される場合がある。
【００６８】
一例では、第１の段階４１０及び第２の段階４３０のそれぞれは、ＦＰＧＡ、ＡＳＩＣ、又は他の回路（不図示）の１つ以上で実装される場合がある。第１の段階４１０及び第２の段階４３０を含んだ個々の回路は、１つ以上の成分信号のシリアル処理のために多数の反復で実装され、関連付けられた回路を連結させる場合がある。ＡＲＴ３５０は、例えば信号セパレータ３５２、再生器モジュール３５４、反転モジュール３５６、及びキャンセルモジュール３６０の機能のために係るシリアル処理を実装できる。しかしながら、シリアル処理段階の各対はシリアル回路に配置されるため、この配置は多大な物理的な空間を占有する場合がある。
【００６９】
したがって、復調器３００の配置、及びより詳細には再生サポートモジュール３５８及び再生器モデム３５９としての再生器モジュール３５４の構成は、関心のある１つ以上の信号を分離する、合成する、復調する、及び保護するために必要とされる物理的な空間を大幅に削減できる。再生器モデム３５４のより高速の処理速度は、同を行うための多数の連結された回路の物理空間要件なしに、第１の段階４１０及び第２の段階４３０の復調−再変調のいくつかの反復を提供できる。
【００７０】
図５は、図３の復調器を使用する干渉低減のための方法の別の実施形態を示す機能ブロック図である。一部の実施形態では、再生器モデム３５９は、上述されたように第１の段階４１０を実装する場合がある。次いで第２の段階４２０の代わりに又は第２の段階４２０に加えて、復調器３００は、エコーキャンセル段階４５０を実装できる。エコー調整段階４５０は、入力として、低パワー信号Ｌ’４１５の推定値のコピーを採取し、実行し、エコー調整４５２を実行できる。一部の実施形態では、エコー調整４５２は、エコーキャンセルと同様に、利得及び／又は位相の調整を含む場合がある。エコーキャンセルの出力は、低パワー信号Ｌ〜４４２の合成バージョンと同様に、低パワー信号４５６の合成バージョンである場合がある。低パワー信号４５６の合成バージョンは、高パワー信号Ｈ’４３５の改良された合成バージョンと同様に、高パワー信号４５８の改良された合成バージョンの改良されたバージョンを提供するために、複合信号１３６からキャンセルされる４５４場合がある。
【００７１】
図６は、図３の復調器並びに図４及び図５の方法を使用する信号分離の方法の実施形態のフローチャートである。図示されるように、信号分離のための方法（「方法」）６００は、未処理信号３１０（図３を参照すること）を受信することでブロック６０２で開始してよい。また、未処理信号３１０は、ブロック６０２でデジタル化モジュール３２０によりデジタル化される場合もある。一部の実施形態では、関心のある信号（複数可）（例えば、信号１２２、１２４）は、未処理信号３１０スペクトルの一部分を占有するにすぎない場合がある。さらに、復調システム３００は、信号処理に関して考慮される未処理信号３１０の量を選択的に制限してよい。ブロック６１０で、ウィンドウモジュール３２５は、復調システム３００が関心のある帯域幅と見なす帯域幅を調整する場合がある。例えば、未処理信号３１０は、関心のある信号（複数可）（例えば、信号１２２及び信号１２４）だけではなく、必ずしも地上局１０６又は他の干渉する伝送のために意図されていない多様な他の伝送も含んだ広大な周波数であってよい。したがって、ブロック６１０で、ウィンドウモジュール３２５は、未処理信号３１０（例えば、ウィンドウ信号３２８、図３）を帯域制限して、信号１２２が受信されることが予想される帯域幅に集中してよい。一部の実施形態では、信号１２２と信号１２４の両方とも関心のある信号であってよく、したがってウィンドウモジュール３２５は、両方の信号１２２及び１２４を受信するために未処理信号３１０を帯域幅制限する場合がある。いくつかの他の実施形態では、ウィンドウ信号３２８は、信号１２２、１２４より多くを含む場合がある。一部の実施形態では、信号１２２、信号１２４、又は受信される任意の他の干渉信号について復調器３００では、情報がほとんど又はまったく知られていない場合がある。しかしながら、一部の場合には、少なくとも１つの予想される帯域幅が既知である場合がある。
【００７２】
地上局１０２又は地上局１０４から衛星１１０へ、及び次いで地上局１０６への長い伝送距離に亘るドップラー偏移のため、一定の時間遅延又は周波数の偏移が生じる場合がある。例えば、信号１２４は、１．４４ＧＨｚ（ギガヘルツ）の一定の周波数及び２２ＭＨｚ（メガヘルツ）の帯域幅を有すると予想されてよい。係る信号（例えば、信号１２４）は、長い伝送経路上で時間及び周波数でシフトされる場合があるので、ウィンドウモジュール３２５により決定されるように１．４５２ＭＨｚの中心周波数及び２２．６４ＭＨｚの帯域幅を有する複合信号１３６の一部分として地上局１０６に到着する場合がある。ウィンドウ信号３２８の帯域幅及び中心周波数はさらに、例えばプロセッサ２０４によって決定される他の要因に依存してよい。
【００７３】
したがって、一部の実施形態では、ウィンドウモジュール３２５は、信号１２４に集中するためにスペクトルの受信された部分（例えば、未処理信号３１０）の帯域幅をさらに調整してよい。別の実施形態では、複合信号１３６は、１つ以上の成分信号（例えば、信号１２２及び信号１２４）を有する場合がある。ウィンドウモジュール３２５は、次いで成分信号（例えば、信号１２２、１２４）のすべてを包含するために受信された未処理信号３１０の帯域幅を調整してよい。図７Ａ、図７Ｂ、及び図７Ｃに関連して以下に説明されるように、複合信号１３６は、周波数で重複する多数の成分信号１２２、１２４を含んでよい。
【００７４】
ブロック６２０で、干渉検出器３３０は、ウィンドウ信号３２８を累乗してよい。累乗プロセスは、ウィンドウ信号３２８をｎ乗すること、つまり、ＣＷがｎ乗の積となるまでウィンドウ信号３２８をそれ自体でｎ回乗算することを含む場合があり、ｎは整数である。一部の実施形態では、累乗は時間領域内で完了される場合がある。干渉検出器３３０は、ウィンドウ信号３２８の時間領域内の小さい時間ブロックで係る演算を実行するように構成される場合がある。一部の実施形態では、これはソフトウェアにより実行されてよい。
【００７５】
決定ブロック６２５で、干渉検出器３３０は、１つ以上のＣＷが累乗により生じるかどうかを判断してよい。生じない場合、方法６００は、ブロック６３０でｎの値をインクリメントしてよい。方法６００は次いでブロック６２０に戻り、再びウィンドウ信号３２８を、例えばｎ＋２で累乗してよい。ブロック６００での累乗は、１つ以上のＣＷが存在するまで繰り返されてよい。ウィンドウ信号３２８の中に存在する各信号（例えば、関心のある信号又は干渉信号）は、個別のＣＷ積を提示してよい。
【００７６】
一部の実施形態では、複合信号１３６（例えば、ウィンドウ信号３２８）の中の多数の成分信号は、ｎの異なる指数で複数のＣＷ積を生じさせてよい。例えば、信号１２２がＢＰＳＫを使用し、変調される場合、連続波はｎ＝２で生じる場合がある。別の例として、信号１２４がＱＰＳＫを使用し変調される場合、次いでＣＷ波形はｎ＝４の指数から生じるであろう。一部の実施形態では、ｎは２の係数である。べき指数ｎは、次いで変調タイプの表示、１＝ＣＷ、２＝ＢＰＳＫ、４＝ＱＰＳＫ、及びｎ＝ｍまでを提供する。一部の実施形態では、ｍは２の任意の整数倍数であってよい。例えば両方ともｎ＝４でＣＷを生じさせるので、特定の追加のプロセスはＱＰＳＫと１６ＱＡＭとの間で曖昧さを除去することを必要とされる場合がある。これは、以下により詳細に説明される。
【００７７】
一部の実施形態では、干渉検出器３３０により受信されるウィンドウ信号３２８は、Ｉ（同相）形式及びＱ（直角位相）形式のシンボルのデータストリームとして受信されてよく、Ｉは実軸上のシンボル座標を表し、Ｑは虚軸上のシンボル座標を表す。Ｉデータ及びＱデータは、所与のシンボルの極座標を表すためにさらに実装されてよい。したがって、複素信号は、ＳＣ＝Ｓｉ＋Ｓｑとして表すことができる。信号ＳＣは累乗され（例えば、ｎ乗され）、ｎは、例えば２の倍数、つまりｎ＝２、４、８、１２、１６、２４、３２等である場合がある。ｎの値（複数可）は、１つ以上の変調タイプを示す場合がある。また、信号ＳＣ、Ｓｉ、及びＳｑの複素成分は、変調タイプが一定の振幅を有するかどうかを判断するために累乗される場合もある。例えば、ｎ＝４で、変調はＱＰＳＫ又はＱＡＭである場合がある。２つのタイプを区別するために、干渉検出器３３０は、シンボルの指数及び位相を表すシンボルベクトルのヒストグラムを生成して、Ｉ及びＱの各象限の中に多数の指数及び位相の状態があるかどうかを判断する場合がある。ヒストグラムは、ＳＣの変調が、例えばＱＰＳＫであるのか、８ＱＡＭであるのか、１６ＱＡＭであるのか、それとも６４ＱＡＭであるのかを明らかにすることができる。一部の実施形態では、ＡＰＳＫ（例えば、１６−ＡＰＳＫ又は３２−ＡＰＳＫ）が存在する場合がある。係る信号は、デジタルビデオ放送−衛星−第２世代（ＤＶＢ−Ｓ２）と関連付けられてよい。いくつかの他の実施形態では、干渉検出器３３０は、例えば図１の説明で上記に一覧された変調タイプ等、他の変調タイプの中でＭＳＫ、ＧＭＳＫ、ＯＱＰＳＫ、及び８ＰＳＫをさらに区別する場合がある。
【００７８】
ブロック６１２で、干渉検出器３３０は、ウィンドウ信号３２８の中の１つ以上の成分信号の１つ以上のシンボルレートを導出する場合もある。上述されたように、干渉検出器３３０は、１つ以上の成分信号に対応する１つ以上のシンボルレート推定値を改良するために累乗結果を使用するように構成された１つ以上の適応等化器を含む場合がある。適応等化器は、ＡＲＴ３５０に提供される場合がある実際のシンボルレートにシンボルレート推定値を改良するために、推定されたシンボルレートの倍数で操作されて（例えば、計時されて）よい。決定ブロック６２５で、干渉検出器３３０が、１つ以上のＣＷ積の存在を決定する場合、方法はブロック６４０に進む。
【００７９】
ブロック６４０で、干渉検出器３３０は、（ブロック６１２からの）１つ以上のシンボルレート及び（ブロック６２０からの）力率ｎに基づいた変調推定値をＡＲＴ３５０に提供してよい。ＡＲＴ３５０は、次いで（ブロック６１２からの）シンボルレートのＸ倍で力率ｎを使用し、ウィンドウ信号３２８を再サンプリングしてよい。したがって、ＡＲＴ３５０は、シンボル軌跡（複数可）を決定し、変調タイプ（複数可）を改良するために高レートでウィンドウ信号３２８を再サンプリング、つまりオーバーサンプリングしてよい。多数の成分信号の存在下で、ＡＲＴ３５０は、個々の成分信号間の位相オフセット及び周波数オフセットをさらに決定してよい。ブロック６４０は、成分信号の数に従って多数の同時インスタンスで発生する場合がある。例えば、図６は、多数の信号（例えば、以下に説明される信号Ｓ１、及び信号Ｓ２から信号Ｓｋ）に対応する３つの再サンプリングブロック５４０を示す。
【００８０】
ブロック６５０で、ＡＲＴ３５０は、シンボル軌跡、形成因子、位相オフセット、周波数オフセット、帯域幅、及び成分信号についての他の利用可能な情報のうちの１つ以上を使用し、成分信号をさらに再生してよい。ブロック６５０は、図５に関連して説明される復調−再変調の第１の段階４１０及び第２の段階４３０の複数の反復を含む場合がある。合成された、つまり再生された信号は、信号Ｓ１、信号Ｓ２から信号Ｓｋとして分類される。信号Ｓｋは、最高でｋ番の信号まで２つを超える信号が、第１の段階４１０及び第２の段階４３０の多数の反復を介して再生されてよいことを示す。一部の実施形態では、ｋ番の信号は、並行して処理され、したがって同時に又は並行して復調されてよい。
【００８１】
ブロック６５０で、多様な再生された成分信号が復調される場合がある（例えば、信号Ｓ１、Ｓ２、Ｓｋ）。一部の実施形態では、ＡＲＴ３５０は、成分信号のそれぞれを独立して導出し、周波数の重複が存在してもそれらを同時に復調できる。一部の実施形態では、再生は、ブロック６５０で図３から図５に関連して上述されたように反復する場合がある。反復は、ブロック６５０で曲線状の矢印により示される。処理は、ＡＲＴ３５０を使用し、達成され、別個の回路を再生器モデム３５９の中に組み込む場合がある。上述されたように、例えば、最強の信号が最初に再生され、それが関心のある信号ではない場合、それはデジタル化信号３２２からキャンセルされる場合がある。残りの信号、つまり残留信号は、干渉検出器３３０及びＡＲＴ３５０により再処理される場合がある。これは、例えば、上述された再生器モデム３５９を通る多数の通過を必要とする場合がある。
【００８２】
別の実施形態では、方法６００のプロセスの多数の反復は、再生器モデム３５９によって容易にされる場合がある。再生器モデム３５９は、再生サポートモジュール３５８によりそれに供給されるデータよりも速くデータを処理できるので、信号再生のいくつかのループ又は反復が、例えばブロック６５０で可能である。
【００８３】
決定ブロック６５２で、プロセッサ２０４は、再生された信号の１つ以上が所望された信号であるかどうかを判断できる。したがって、プロセッサ２０４は、関心のある信号（例えば、信号１２２）が方法６００によりまだ回収されていなかったと判断してよい。一部の実施形態では、これは、関心のある信号（例えば、信号１２２）が、低パワーレベル、つまり再生された信号Ｓ１：Ｓｋよりもより低パワーレベルを有するため、発生する場合がある。例えば、方法６００は、関心のある信号よりも高いパワーレベルを有する１つ以上の成分信号を隔離し、係る信号が干渉信号であると判断できた可能性がある。再生された信号の１つ以上が関心のある信号ではない場合、ブロック６５５で、再生された干渉信号の１つ以上の反転されたコピーがキャンセルモジュール３６０に提供されてよい。このプロセスは、例えばキャンセル４１６、４３６（図４）に類似する場合がある。一部の実施形態では、ブロック６５０で再生された信号のどれも所望された信号ではない場合、次いでそれらは干渉信号として処理され、キャンセルされる場合がある。
【００８４】
また、キャンセルモジュール３６０は、入力として、ブロック６６０で遅延モジュール３６５によって遅延されるウィンドウ信号３２８のコピーを採取してもよい。ブロック６６５で、１つ以上の再生信号（関心のある信号（複数可）ではない）をそれからキャンセルされた残留信号が生成されてよい。したがって、ブロック６５５でのキャンセルされた干渉信号を差し引いたウィンドウ信号３２８は、ブロック６６５で、所望される信号（例えば、信号１２２）を生成してよい。残留信号は、反転された干渉信号及びデジタル化信号３２２の組合せから生じる場合がある。残留信号は、少なくとも１つの成分信号（例えば、干渉信号）がキャンセルされたデジタル化信号３２２のバージョンである場合がある。一部の実施形態では、これがノイズフロアと呼ばれる場合がある。これは、復調器３００が、ノイズフロアを特徴付け、関心のある信号、例えば信号１２２のＳＮＲを増加させることをさらに可能にしてよい。
【００８５】
決定ブロック６５２で、プロセッサ２０４が、再生信号及び復調信号の１つ以上が所望された信号であると判断する場合、方法５００は、ブロック６８０に移動できる。ブロック６８０で、プロセッサ２０４は、次いで１つ以上の所望された再生信号を保護してよい。一部の実施形態では、方法６００は、任意の数の再生信号を生じさせる場合がある。一部の実施形態では、所望されていない信号は廃棄又は無視されてよい。いくつかの他の実施形態では、所望されていない信号は、第１の段階４１０及び第２の段階４３０の復調−再変調を通して、又は図５に関連して説明されるエコー調整／エコーキャンセルを介して、適応キャンセルにより所望された信号を改良するために使用されてよい。
【００８６】
方法６００は反復である場合がある。方法６００の各反復は、成分信号（例えば、信号１２２、１２４）の連続してより正確な再生を提供してよい。しかしながら、再生器モデム３５９を使用し、処理時間は短縮され、効率は高められ得る。したがって、上述された干渉キャンセル方法を使用することにより、多数の信号が、周波数で重複し、利用可能な周波数スペクトルの使用を最大限にし得る。
【００８７】
続く図７Ａ、図７Ｂ、及び図７Ｃは、信号が、それらが本明細書に説明されるように、分離され、復調され得るように、十分な特徴的な質を維持しながら重複され、伝送され得る考えられる方法のプロットである。２つ以上の信号（例えば、信号１２２及び信号１２４）を周波数で重複することによって、通信リンク（例えば、通信システム１００）は、利用可能な周波数スペクトルをより効率的に利用し、データスループットを上げ得る。
【００８８】
上述されたように、２つ以上の変調信号１２２、１２４の和が異なった変調を形成する場合がある。一部の実施形態では、結合された信号は、相互に干渉する場合がある。（例えば通信システム１００における）通信チャネルの所与の程度の干渉又はノイズ混入の場合、チャネルを通して計算可能な最大レートまでのほぼ誤りがない離散データ（デジタル情報）を通信することが可能である。係る最大値は、シャノンの定理を使用し、計算されてよい。本明細書に説明される重複周波数に適用されるように、シャノンの定理は、変調信号１２２、１２４の信号対ノイズ比の変化が、信号１２２、１２４のそれぞれのための提案された変調技術及びその基本的な必須のビットあたりエネルギー対ノイズパワースペクトル密度比（ＥｓＮ０）に依存することを示す。また、この値は、ビットあたり信号対ノイズ比（ＳＮＲ）又は個々の信号１２２、１２４の正規化されたＳＮＲ基準として表すこともできる。一部の実施形態では、係る計算は、重複信号を伝送するときに最大重複及び最適帯域幅又は変調タイプを導出するために役立つ場合がある。いくつかの他の実施形態では、係る計算は、さらに本明細書に説明されるように重複信号のための分離、再生、及び復調の方法又は技術で役に立ってよい。
【００８９】
図７Ａは、図４、図５、及び図６の方法を使用し、分離されてよい周波数で重複する２つの信号のプロットである。プロット７００は、垂直（ｙ）軸上の振幅対水平（ｘ）軸上での周波数（ｆ）で示される。プロット７００は、周波数で重複し、ＡＲＴ３５０により変調される場合がある、例えば（破線で区切られた）信号１２２及び（実線で区切られた）信号１２４等の２つの信号の実施形態を示す。実施形態では、信号１２２及び信号１２４は、同じ帯域幅７０５を有する場合がある。信号１２２は中心周波数７０２を有する場合があり、信号１２４は中心周波数７１２を有する場合がある。中心周波数７０２、７１２間の差異は、概して本明細書では位相オフセット７１０と呼ばれる場合がある。
【００９０】
実施形態では、ＡＲＴ３５０は、部分的にはセパレータモジュール３５２により使用されるサンプルレートの増加のため、再サンプリング（例えば、ブロック６５０）の間に信号１２２を信号１２４から区別してよい。信号１２２及び信号１２４は位相オフセット７１０分わずかに偏位されるにすぎないが、高い再サンプリングレート（例えば、シンボルレートのＸ倍）が、ＡＲＴ３５０が中心周波数、振幅、又は帯域幅でわずかな変動しかない多数の信号を区別できるようにする。
【００９１】
例えば、位相オフセット７１０は、信号１２２と信号１２４との間の位相シフトの結果である場合がある。したがって、信号１２２及び信号１２４がともに、４５度（π／４ラジアン）の位相オフセット６１０を有するＱＰＳＫで変調される場合、各信号１２２、１２４のＱＰＳＫ配置は、位相で４５度のシフトをもって出現する。ＡＲＴ３５０は、次いで信号１２２、１２４の両方ともを再生し、復調するために信号１２２及び信号１２４のシンボル軌跡及び形成因子を使用し、信号１２２を信号１２４から区別する場合がある。一部の実施形態では、システム３００は、２つ以上の信号をただちに分離し、再生し、復調することができてよい。
【００９２】
図７Ｂは、図６の方法を使用し、分離されてよい周波数で重複する２つの信号の別のプロットである。プロット７３０は、垂直（ｙ）軸上の振幅対水平（ｘ）軸上の周波数（ｆ）と示される。プロット７３０は、（破線で区切られた）信号１２２及び上記と同じ帯域幅６０５を有する（実線で区切られた）信号１２４をさらに示す。しかしながら、プロット７００とプロット７３０との相違は、プロット７３０では、信号１２２、１２４が周波数で完全に重複し、ともに中心周波数７３２を有する点である。また、プロット７３０は、振幅の差７３５も示す。振幅の差７３５は、信号１２２及び信号１２４が、同じ帯域幅７０５及び同じ中心周波数７３２を共用するが、振幅（例えば、パワーレベル又は受信信号強度）の差７３５が、本明細書に開示される方法６００を使用し、信号１２２、１２４を区別するほど十分である場合があることを示す。したがって、ＡＲＴ３５０は、振幅の差７３５があるとき、同じ帯域幅７０５及び同じ中心周波数７３２を有する２つ以上の周波数を分離し、再生し、復調してよい。
【００９３】
図７Ｃは、図６の方法を使用し、分離されてよい周波数で重複する２つの信号の別のプロットである。プロット７６０は、垂直（ｙ）軸上の振幅対水平（ｘ）軸上の周波数（ｆ）で示される。プロット７６０は、同じ中心周波数７６２及び同じ振幅７６４を有する（破線で区切られた）信号１２２及び（実線で区切られた）信号１２４をさらに示す。プロット７６０は、帯域幅７６５を有する信号１２２及び大域巾７７５を有する信号１２４をさらに示す。信号１２２と信号１２４との間の帯域幅の差は、ＡＲＴ３５０が、信号１２２、１２４を分離し、再生し、復調することを可能にするために十分である場合がある。
【００９４】
図８は、図３のシステムを使用する重複信号の分離及び復調の方法のフローチャートである。方法８００は、地上局（例えば、図１の地上局１０６）が、２つ以上の成分信号を有する入力（例えば、未処理信号３１０）を受信するとき、ブロック８１０で開始する。一部の実施形態では、２つ以上の成分信号（例えば、信号１２２及び信号１２４）は、関心のある信号である場合がある。いくつかの他の実施形態では、入力は１つ以上の干渉信号を有してよい。
【００９５】
ブロック８２０で、復調器３００は、入力の一部分の中の特定の干渉信号を検出してよい（例えば、ウィンドウ信号３２８）。干渉検出器３３０は、ウィンドウ信号３２８の中で２つ以上の成分信号１２２、１２４のためのシンボルレートを導出する場合がある。また、干渉検出器３３０は、ウィンドウ信号３２８の累乗（例えば、ｎの指数）により変調推定値を導出することもできる。累乗（例えば、ｎの指数）から生じるＣＷ波形は、位相オフセット、周波数オフセット、帯域幅、及び時間遅延を決定するために使用されてよい。
【００９６】
ブロック８３０で、１つ以上の適応等化器は、信号１２２及び信号１２４のシンボル軌跡、形成因子、位相オフセット、周波数オフセット、及び変調タイプを決定するために、個々の成分信号１２２、１２４のシンボルレートのＸ倍でウィンドウ信号３２８に適用される場合がある。
【００９７】
ブロック８４０で、復調器３００及びより具体的にはＡＲＴ３５０は、帯域幅、シンボル軌跡、形成因子、変調タイプ、位相オフセット、及び周波数オフセットの１つ以上に基づいて成分信号（例えば、信号１２２及び信号１２４）を再生又は合成してよい。再生器モジュール３５４は、図４、図５、及び図６に関連して上述されたように合成又は再生された成分信号を反復して改良するために、「リアルタイムより高速の」レートで分離された信号を処理するために再生器モデム３５９を使用する場合がある。ＡＲＴ３５０は、第１のデータレートで連続部分（例えば、第１の部分、第２の部分、第３の部分等）を消費する、つまり取り込む場合がある。各部分は、時間で信号（例えば、デジタル化信号３２２）のスナップショットを表す場合がある。各部分は、信号分離器３５２により導出された信号情報に加えて、再生器モジュール３５４に順次配信される場合がある。再生器モデム３５９は、第１のレートよりも速い第２のレートでデジタル化信号３２２の部分を処理できる。したがって、例えば図４及び図５と関連付けられた反復復調／再変調は、復調器３００が、入信信号の後続の第２の部分を受信するために要する時間内に第１の部分に対して多数回実行される場合がある。これは、反復する信号強化及び干渉軽減を実施するために必要とされる時間及び回路の量を削減できる。
【００９８】
決定ブロック８４５で、プロセッサ２０４は、再生信号が関心のある信号であるかどうかを判断できる。再生信号が関心のある信号である場合、方法８００はブロック８５０に進むことができる。
【００９９】
ブロック８５０で、復調器３００は、成分信号のそれぞれを復調できる。一部の実施形態では、成分信号は同時に復調される場合がある。いくつかの他の実施形態では、方法８００に開示される適応再生は、時間遅延とは関係なく起こる場合がある。適応等化及びシンボルレートのＸ倍での再サンプリングのため、成分信号のより正確な推定が、干渉キャンセル単独によるよりも速いレートで生成される場合がある。一部の実施形態では、ブロック８１０、ブロック８２０、及びブロック８３０に示されるステップはソフトウェアで実行される場合がある。一部の実施形態では、ブロック８４０及びブロック８５０に示されるステップは、ファームウェアで実行できる。
【０１００】
決定ブロック８４５で、信号が関心のある信号ではない場合、再生信号（例えば、ブロック８４０）は干渉信号と見なされる場合がある。したがって、ブロック８６０で、復調器３００（図３）は、ウィンドウ信号３２８から干渉信号をキャンセルする場合がある。方法８００は、ブロック８５０に進み、関心のある少なくとも１つの信号を出力する場合がある。
【０１０１】
一部の実施形態では、方法８００は、成分信号を復調又は分離するために必要に応じて繰り返される又は反復される場合がある。例えば、係る反復は、再生器モデル３５９を組み込むことによって「リアルタイムより高速の」レートで達成できる。上述されたように、再生器モデム３５９は、データがＡＲＴ３５０で消費されるレートのいくつかの倍数であってよいレートでデータを処理できる。方法８００は、未処理信号の時間遅延コピーから１つ以上の成分信号をキャンセルして、残留信号を決定する（例えば、図５のブロック５６５）ことによって追加の干渉キャンセルを達成するために、方法４００及び方法５００と結合され、方法７００を使用し、残留信号を再処理する場合がある。
【０１０２】
本明細書に開示される実施形態に関連して説明された多様な例示的な論理ブロック、モジュール、回路、及びアルゴリズムのステップは、電子ハードウェア、コンピュータソフトウェア、又は両方の組合せとして実装されてよい。ハードウェア及びソフトウェアのこの互換性を明確に示すために、多様な例示的な構成要素、ブロック、モジュール、回路、及びステップが、概してその機能性の観点から上述された。係る機能性がハードウェアとして実装されるのか、それともソフトウェアとして実装されるのかは、特定のアプリケーション及び全体的なシステムに課される設計制約に依存する。当業者は、それぞれの特定の用途にさまざまな方法で説明された機能性を実施してよいが、係る実施態様の決定は、本発明の範囲からの逸脱を引き起こすとして解釈されるべきではない。
【０１０３】
本明細書に説明する方法は、ハードウェア、ソフトウェア、ファームウェア、又はその任意の組合せで実装されてよい。係る方法は、汎用コンピュータ、無線通信デバイスハンドセット、又は無線通信デバイスハンドセット及び他のデバイスでの応用を含んだ多数の用途を有する集積回路デバイス等のさまざまなデバイスのいずれかで実施されてよい。モジュール又は構成要素として説明される任意の特徴は、集積論理デバイス内でともに実装される場合もあれば、離散しているが、相互運用可能な論理デバイスとして別個に実施されてもよい。ソフトウェアで実施される場合、方法は、実行時、上述された方法の１つ以上を実行する命令を含んだプログラムコードを含んだ、コンピュータ可読データストレージ媒体により少なくとも部分的に実現され得る。コンピュータ可読データストレージ媒体は、実装材料を含む場合があるコンピュータプログラム製品の一部を形成してよい。コンピュータ可読媒体は、例えば同期ダイナミックランダムアクセスメモリ（ＳＤＲＡＭ）等のランダムアクセスメモリ、読取り専用メモリ（ＲＯＭ）、不揮発性ランダムアクセスメモリ（ＮＶＲＡＭ）、電気的消去可能ＰＲＯＭ（ＥＥＰＲＯＭ）、フラッシュメモリ、磁気データ記憶媒体又は光学データ記憶媒体等のメモリ又はデータストレージ媒体を含んでよい。技術及び方法は、さらに又は代わりに、プログラムコードを命令又はデータ構造の形で搬送又は通信し、伝搬された信号又は波動等、コンピュータによりアクセス、読み取り、及び／又は実行される場合があるコンピュータ可読通信媒体により少なくとも部分的に実現されてよい。
【０１０４】
プログラムコードは、図２に関連して説明されるように、例えば１つ以上のデジタルシグナルプロセッサ（ＤＳＰ）、汎用マイクロプロセッサ、特定用途向け集積回路（ＡＳＩＣ）、フィールドプログラマブルロジックアレイ（ＦＰＧＡ）、又は他の同等な集積回路若しくは離散論理回路などの、１つ以上のプロセッサを含む場合があるプロセッサにより実行されてよい。係るプロセッサは、本開示に説明される方法及び機能のいずれかを実行するように構成されてよい。係るプロセッサは、本開示に説明される方法及び機能のいずれかを実行するように構成されてよい。汎用プロセッサは、マイクロプロセッサであってよいが、代わりに、プロセッサは、任意の従来のプロセッサ、コントローラ、マイクロコントローラ、又は状態機械であってよい。また、プロセッサは、例えばＤＳＰ及びマイクロプロセッサの組合せ、複数のマイクロプロセッサ、ＤＳＰコアと連動する１つ以上のマイクロプロセッサ、又は任意の他の係る構成等、コンピューティングデバイスの組合せとして実装されてもよい。したがって、本明細書で使用される用語「プロセッサ」は、上記構造、上記構造の任意の組合せ、又は本明細書に説明される方法の実施態様に適した任意の他の構造若しくは装置を指してよい。
【０１０５】
本開示の実施形態は、特定の実施形態のために上述されているが、多くの変形形態が考えられる。例えば、多様な構成要素の数は増加又は減少する場合があり、供給電圧を決定するモジュール及びステップは、周波数、別のシステムパラメータ、又はパラメータの組合せを決定するために修正されてよい。さらに、多様な実施形態の特徴は、上述されたものとは異なる組合せで結合されてよい。
【０１０６】
当業者は、本明細書に開示された実施形態との関連で説明された多様な例示的なブロック及びモジュールが、多様な形式で実装され得ることを理解する。いくつかのブロック及びモジュールは、その機能性に関して概して上述されている。係る機能性がどのようにして実装されるのかは、全体的なシステムに課される設計制約次第である。当業者は、特定のアプリケーションごとにさまざまな方法で説明された機能性を実施できるが、係る実施態様の決定は、本開示の範囲からの逸脱を引き起こすとして解釈されるべきではない。さらに、モジュール、ブロック、又はステップの中の機能のグループ化は、説明を容易にするためである。具体的な機能又はステップは、本開示から逸脱することなくあるモジュール若しくはブロックから移動される場合もあれば、モジュール又はブロック全体に分散される場合もある。
【０１０７】
開示された実施形態の上記説明は、任意の当業者が本発明を作る又は使用することを可能にするために提供される。これらの実施形態に対する多様な修正は、当業者にとって容易に明らかになり、本明細書に説明される一般的な原則は、本開示の精神又は範囲から逸脱することなく他の実施形態に適用できる。したがって、本明細書に提示される説明及び図面が、本発明の現在好まれている実施態様を表し、したがって本開示により幅広く意図される主題を表すことが理解されるべきである。本開示の範囲が当業者に対して明らかになる場合がある他の実施形態を完全に包含し、したがって本開示の範囲が添付の特許請求の範囲以外のなにによっても制限されないことがさらに理解される。
【図１】
2020527006.tif 000003
【図２】
2020527006.tif 000004
【図３】
2020527006.tif 000005
【図４】
2020527006.tif 000006
【図５】
2020527006.tif 000007
【図６】
2020527006.tif 000008
【図７Ａ−Ｃ】
2020527006.tif 000009
【図８】
2020527006.tif 000010
【手続補正書】
【提出日】令和2年3月5日(2020.3.5)
【手続補正１】
【補正対象書類名】特許請求の範囲
【補正対象項目名】全文
【補正方法】変更
【補正の内容】
【特許請求の範囲】
【請求項１】
複合信号の中の複数の成分信号の第２の信号から第１の信号を分離するための方法であって、
第１のクロックレートで、第１の期間に及ぶ前記複合信号の第１の部分を受信することと、
前記複合信号の中で前記第１の信号及び前記第２の信号を検出し、
前記第１の信号の第１の変調推定値と、
前記第２の信号の第２の変調推定値と、
少なくとも１つのシンボルレートと
を決定するために前記第１の部分を累乗することと、
少なくとも１つのシンボル軌跡、少なくとも１つの変調タイプ、及び前記第１の信号と前記第２の信号との間のオフセットに関連するオフセット情報を決定するために、前記少なくとも１つのシンボルレートのｘ倍で前記第１の変調推定値及び前記第２の変調推定値に基づいて前記第１の部分を再サンプリングすることであって、ｘがゼロより大きい整数である、再サンプリングすることと、
第２のクロックレートで前記第１の期間内の前記第１の信号及び前記第２の信号を表す第１の合成信号及び第２の合成信号を決定することであって、前記第２のクロックレートが前記第１のクロックレートの倍数であり、前記決定は少なくとも部分的にオフチップで実行される、決定することと
を含む、方法。
【請求項２】
前記決定することが、
前記再サンプリングに基づいて第１の復調推定値を生成することと、
前記第１の合成信号を形成するために前記少なくとも１つの変調タイプに基づいて前記第１の復調推定値を再変調することと、
前記第２の信号の推定値を含む第１の残留信号を形成するために、前記第１の部分から前記第１の合成信号をキャンセルすることと
を含む、請求項１に記載の方法。
【請求項３】
第２の復調推定値を形成するために前記第１の残留信号を復調することと、
前記第２の合成信号を形成するために前記第２の復調推定値を再変調することと、
第１の改良された第１の合成信号を形成するために前記第１の部分から前記第２の合成信号をキャンセルすることと
をさらに含む、請求項２に記載の方法。
【請求項４】
改良された第２の合成信号及び第２の改良された第１の合成信号を形成するために前記復調すること、及び前記再変調することを前記第２のクロックレートで繰り返すことをさらに含む、請求項３に記載の方法。
【請求項５】
前記第２の合成信号を形成するために前記第１の残留信号に対してエコー調整を実行することをさらに含む、請求項３に記載の方法。
【請求項６】
前記第１のクロックレートで、前記第１の期間に続く第２の期間に及ぶ前記複合信号の第２の部分を受信することと、
前記第２の部分に対して、前記累乗することと、前記再サンプリングすることと、前記決定することとを繰り返すことと
をさらに含む、請求項１に記載の方法。
【請求項７】
前記決定することが、オフチップに位置する再生器モデムにより部分的に実行される、請求項１に記載の方法。
【請求項８】
複合信号の中の複数の成分信号の第２の信号から第１の信号を分離するためのデバイスであって、
第１のクロックレートで、第１の期間に及ぶ前記複合信号の第１の部分を受信するよう作動する受信機と、
前記複合信号の中の前記第１の信号及び前記第２の信号を検出し、
前記第１の信号の第１の変調推定値と、
前記第２の信号の第２の変調推定値と
少なくとも１つのシンボルレートと
を決定するために、前記第１の部分を累乗するよう作動する前記受信機に結合された１つ以上のプロセッサと、
オフチップに配置され、前記１つ以上のプロセッサと連動して、
少なくとも１つのシンボル軌跡、少なくとも１つの変調タイプ、及び前記第１の信号と前記第２の信号の間のオフセット情報を決定するために前記少なくとも１つのシンボルレートのｘ倍で前記第１の変調推定値及び前記第２の変調推定値に基づいて前記第１の部分を再サンプリングし、ｘがゼロよりも大きい整数であり、
第２のクロックレートで前記第１の期間内の前記第１の信号及び前記第２の信号を表す第１の合成信号及び第２の合成信号を決定し、前記第２のクロックレートが前記第１のクロックレートの倍数である
ように構成された再生器モデムと
を備える、デバイス。
【請求項９】
前記再生器モデムが
前記シンボル軌跡に少なくとも部分的に基づいて第１の復調推定値を生成し、
前記第１の合成信号を形成するために前記少なくとも１つの変調タイプに基づいて前記第１の復調推定値を再変調し、
前記第２のクロックレートで、前記第２の信号の推定値を含む第１の残留信号を形成するために、前記第１の部分から前記第１の合成信号をキャンセルする
ようさらに作動する、請求項８に記載のデバイス。
【請求項１０】
前記再生器モデルが、
第２の復調推定値を形成するために前記第１の残留信号を復調し、
前記第２の合成信号を形成するために、前記第２の復調推定値を再変調する
ようにさらに構成され、
前記１つ以上のプロセッサが、前記第１の合成信号を形成するために、前記第１の部分から前記改良された推定された第２の信号をキャンセルするようにさらに構成される
請求項９に記載のデバイス。
【請求項１１】
前記１つ以上のプロセッサは、改良された第２の合成信号及び第２の改良された第１の合成信号を形成するために、前記第２のクロックレートで前記復調すること及び前記再変調することを繰り返すようにさらに構成される、請求項１０に記載のデバイス。
【請求項１２】
前記第２の合成信号を形成するために前記第１の残留信号に対してエコー調整を実行することをさらに含む、請求項１０に記載のデバイス。
【請求項１３】
前記第１のクロックレートで、前記第１の期間に続く第２の期間に及ぶ前記複合信号の第２の部分を受信することと、
前記第２の部分に対して前記累乗することと、前記再サンプリングすることと、前記決定することとを繰り返すことと
をさらに含む、請求項８に記載のデバイス。
【請求項１４】
第１の信号を、複合信号の中の複数の成分信号の第２の信号から分離するための装置であって、
第１のクロックレートで、第１の期間に及ぶ前記複合信号の第１の部分を受信するための手段と、
前記複合信号の中の前記第１の信号及び前記第２の信号を検出し、
前記第１の信号の第１の変調推定値と、
前記第２の信号の第２の変調推定値と、
少なくとも１つのシンボルレートと
を決定するために前記第１の部分を累乗するための手段と、
少なくとも１つのシンボル軌跡、少なくとも１つの変調タイプ、及び前記第１の信号と前記第２の信号の間のオフセット情報を決定するために、前記少なくとも１つのシンボルレートのｘ倍で、前記第１の変調推定値及び前記第２の変調推定値に基づいて前記第１の部分を再サンプリングするための手段であって、ｘがゼロよりも大きい整数である、手段と、
第２のクロックレートで前記第１の期間内の前記第１の信号及び前記第２の信号を表す第１の合成信号及び第２の合成信号を決定するための手段であって、前記第２のクロックレートが前記第１のクロックレートの倍数であり、前記決定するための手段が少なくとも部分的にオフチップで実行される、手段と
を備える、装置。
【請求項１５】
前記決定するための手段が、
前記再サンプリングすることに基づいて第１の復調推定値を生成するのための手段と、
前記第１の合成信号を形成するために、前記少なくとも１つの変調タイプに基づいて前記第１の復調推定値を再変調するための手段と、
前記第２の信号の推定値を含む第１の残留信号を形成するために、前記第１の部分から前記合成された第１の信号をキャンセルするための手段と
を含む、請求項１４に記載の装置。
【請求項１６】
第２の復調推定値を形成するために、前記第１の残留信号を復調するための手段と、
前記第２の合成信号を形成するために、前記第２の復調推定値を再変調するための手段と、
第１の改良された第１の合成信号を形成するために、前記第１の部分から前記第２の合成信号をキャンセルするための手段と
をさらに含む、請求項１５に記載の装置。
【請求項１７】
改良された第２の合成信号及び第２の改良された第１の合成信号を形成するために、前記復調すること及び前記再変調することを前記第２のクロックレートで繰り返すための手段をさらに含む、請求項１６に記載の装置。
【請求項１８】
前記第２の合成信号を形成するために前記第１の残留信号に対してエコー調整を実行するための手段をさらに含む、請求項１６に記載の装置。
【請求項１９】
前記第１のクロックレートで、前記第１の期間に続く第２の期間に及ぶ前記複合信号の第２の部分を受信するための手段と、
前記第２の部分に対して、前記累乗することと、前記再サンプリングすることと、前記決定することとを繰り返すための手段と
をさらに含む、請求項１４に記載の装置。
【請求項２０】
決定するための前記手段が、オフチップに位置する再生器モデムを備える、請求項１６に記載の装置。
【国際調査報告】
2020527006.tif 000011
2020527006.tif 000012